(57)【要約】【課題】ディスクへ接近し易いディスク飛散防止手段の提供【解決手段】ディスクの外周を囲むように該外周の端面に近接して側板を設け、破損したディスクが飛散しようとする運動エネルギーの減衰を促進する事により、ディスクの飛散を防止する。また、エネルギーの減衰を効率化するために、ディスク面に近接して平板を設ける。【選択図】図６
2004133964.tif 000002
【特許請求の範囲】
【請求項１】
ディスクを保持する回転軸を具備し、前記ディスクを前記ディスク軸周りに回転するディスク回転装置と共に用いる、ディスクの飛散を防止する装置であって、
前記ディスクの外周を囲むように該外周の端面に近接して設ける側板、
を備える事を特徴とするディスク飛散防止装置。
【請求項２】
ディスクを保持する回転軸を具備し、前記ディスクを前記ディスク軸周りに回転するディスク回転装置であって、
前記ディスクの外周を囲むように該外周の端面に近接して設ける側板、
をさらに備え、ディスクの飛散を防止するようにした事を特徴とする装置。
【請求項３】
ディスクを保持する回転軸を具備し、前記ディスクを前記ディスク軸周りに回転するディスク回転手段と、前記ディスクに対してヘッドを位置決めする位置決め手段とを備え、前記ヘッドにより前記ディスクを操作して情報記録および情報再生のいずれか、または、その両方を行う装置であって、
前記ディスクの外周を囲むように該外周の端面に近接して設ける側板、
をさらに備え、ディスクの飛散を防止するようにした事を特徴とする装置。
【請求項４】
前記側板は、前記ディスクの外周端面との間隙が前記ディスクの厚さ以下になるように設けられる事を特徴とする請求項１乃至３のいずれかに記載の装置。
【請求項５】
前記ディスクの第一の面に対向し、かつ、近接して設けられ、前記第一の面を覆う平板をさらに備える事を特徴とする請求項１乃至４のいずれかに記載の装置。
【請求項６】
前記側板において、少なくともヘッドカードリッジ動作領域と重なる部分は、前記ディスク面との高低差が前記ディスクに近接させるスライダーの厚さ以下である事を特徴とする請求項１乃至５のいずれかに記載の装置。
【請求項７】
前記ディスクの第二の面の一部を覆う第一の蓋板をさらに備える事を特徴とする請求項１乃至６のいずれかに記載の装置。
【請求項８】
前記ディスクの第二の面の一部は、ヘッド非活動領域である事を特徴とする請求項７に記載の装置。
【請求項９】
前記ディスクの第二の面の残部を覆う第二の蓋板をさらに備える事を特徴とする請求項７または８に記載の装置。
【請求項１０】
前記平板、前記第一の蓋板、および、前記第二の蓋板のうち少なくとも１つは、前記ディスクと対向する部分において、前記ディスクに平行な平滑面を有する事を特徴とする請求項１乃至９のいずれかに記載の装置。
【請求項１１】
前記平板は、対向する前記ディスク面との間隙が前記ディスクの厚さ以下である事を特徴とする請求項１乃至１０のいずれかに記載の装置。
【請求項１２】
前記第一の蓋板および前記第二の蓋板のいずれか、または、その両方は、対向する前記ディスク面との間隙が前記ディスクの厚さ以下である事を特徴とする請求項１乃至１１のいずれかに記載の装置。
【請求項１３】
前記側板は、前記ディスクの包囲を解除可能なように構成される事を特徴とする請求項１乃至１２のいずれかに記載の装置。
【請求項１４】
前記平板は、単独で、もしくは、前記側板とともに前記ディスクから隔離可能なように構成される事を特徴とする請求項１乃至１３のいずれかに記載の装置。
【発明の詳細な説明】
【０００１】
【発明の属する技術分野】
本発明は、回転中のディスクが破損した時に破損ディスクが飛散する事を防止するためのディスク飛散防止装置に関する。本発明のディスク飛散防止装置は、ディスクに対してヘッドを近接させるヘッド／ディスク試験装置などに用いて好適である。
【０００２】
【従来の技術】
ハードディスクドライブの主要部品である磁気ヘッドや磁気ディスクは、ヘッド／ディスク試験装置などにより検査される。この類の試験装置は、高速回転する磁気ディスク上に磁気ヘッドを近接させて試験を行う。磁気ヘッドは、一般的に、極僅かな高さで磁気ディスク上を浮上している。回転中の磁気ディスクは、外部からの衝撃などにより磁気ヘッドが接触して破損する場合がある。このように回転中に破損した磁気ディスクは、遠心方向へと飛散するので、周囲の作業者にとって極めて危険なものである。また、周辺の設備もディスクの飛散により損傷する可能性がある。近年、ガラス製の磁気ディスクが多用されるようになり、このような破損およびディスク飛散の可能性が高まっている。従来、破損した磁気ディスクの飛散を防止するための手段として、ディスクを囲むシュラウドや、試験装置全体を覆うシールドなどが用いられている。
【０００３】
ここで、従来のディスク飛散防止手段について図示し説明する。まず、第一の従来例であるシュラウドを図１に示す。図１において、シュラウド１０は、略円筒形をなす側板１１と、リッド１２とからなる。側板１１は。磁気ディスクを保持し回転させるスピンドル１３を囲むように台１４に設けられている。また、側板１１は、磁気ヘッドを磁気ディスク上に位置決する際に、磁気ヘッドおよび位置決め装置がシュラウド１０内に進入できるよう、その一部が切削されている。リッド１２は、スピンドル１３の上方を覆うようにして側板１１に取り付けられている。なお、便宜上、磁気ヘッド、磁気ディスク、および、位置決め手段などは図示していない。
シュラウド１０は以上のように構成されるので、ディスクが飛散する時、側板１１によってディスクの水平方向の飛散が防止され、リッド１２によってディスクの上方向の飛散が防止される。ディスクの下方向の飛散は、台１４により防止される（これに類する例として、非特許文献１がある。）。
【０００４】
次に、第二の従来例であるシールドを図２に示す。図２において、シールド２０は、ヘッド／ディスク試験装置全体２１を覆う金属製またはプラスティック製の箱である。シールド２０には、側壁の一部に扉２２が設けられている。作業者は、扉２２からシールド２１内へ手を入れて作業を行う。シュラウド１０は切削部分からのディスク飛散を防止する事ができないが、シールド２０は試験装置全体を覆うので扉２２を閉じていればディスク飛散を完全に防止する事ができる（これに類する例として、特許文献１がある。）。
【０００５】
【特許文献１】
特平２００２−２０８１３３号公報（図１）
【非特許文献１】
「アジレントテクノロジーズ　Ｅ５０２２Ａ／ＢおよびＥ５０２３Ａハードディスク・リード／ライト・テストシステム　オペレーション・マニュアル　第１８版（Ａｇｉｌｅｎｔ　Ｔｅｃｈｎｏｌｏｇｉｅｓ　Ｅ５０２２Ａ／Ｂ　ａｎｄ　Ｅ５０２３Ａ　Ｈａｒｄ　Ｄｉｓｋ　Ｒｅａｄ／Ｗｒｉｔｅ　Ｔｅｓｔ　Ｓｙｓｔｅｍ　Ｏｐｅｒａｔｉｏｎ　Ｍａｎｕａｌ　１８ｔｈ　Ｅｄｉｔｉｏｎ）」，　アジレントテクノロジーズ・インク，２００１年６月，ｐ．２５−２９
【０００６】
【発明が解決しようとする課題】
ところで、上述のディスク飛散防止手段は、ディスクを着脱しようとする時、使い勝手が悪い。すなわち、シュラウド１０においては、ディスク交換のために、リッド１２を開閉しなければならない。また、シールド２０においては、扉２２を開閉しなければならず、また、扉２２を通じての作業は極めて不便である。さらに、シールド２０は、試験装置以上の設置面積を必要とするので、限られた場所に多くの試験装置を並べて設置しようとする時、設置可能な装置数を制限する要因となる。
本発明は、上記の従来技術の問題点を解消することを課題とするものであって、その目的とするところは、ディスク飛散防止の効果を維持しつつ、ディスクへの接近しやすさを向上し、その形状を小さくしたディスク飛散防止手段を提供する事である。
【０００７】
【課題を解決するための手段】
上記の目的を達成するために、ディスクの外周を囲むように該外周の端面に近接して側板を設け、破損したディスクが飛散しようとする運動エネルギーの減衰を促進する事により、ディスクの飛散を防止する。また、エネルギーの減衰を効率化するために、ディスク面に近接して平板を設ける。本明細書では、ディスクにおいて、記憶領域を含む面を単に面と称し、外周端面または内周端面を単に端面と総称する。
【０００８】
すなわち、本第一の発明は、ディスクを着脱可能に保持し軸周りに回転するディスク回転装置と共に用いる、ディスクの飛散を防止する装置であって、前記ディスクの外周端面を覆うように該端面に近接して設ける側板、を備えるようにしたものである。
【０００９】
また、本第二の発明は、ディスクを着脱可能に保持し軸周りに回転するディスク回転装置であって、前記ディスクの外周端面を覆うように該端面に近接して設ける側板、をさらに備え、ディスクの飛散を防止するようにしたものである。
【００１０】
さらに、本第三の発明は、ディスクを着脱可能に保持し軸周りに回転するディスク回転手段と、前記ディスクに対して相対的にヘッドを位置決めする位置決め手段とを備え、前記ヘッドにより前記ディスクを操作して情報記録および情報再生のいずれか、または、その両方を行う装置であって、前記ディスクの外周端面を覆うように該端面に近接して設ける側板、をさらに備え、ディスクの飛散を防止するようにしたものである。
【００１１】
またさらに、本第四の発明は、本第一の発明、本第二の発明、または、本第三の発明のいずれかにおいて、前記ディスク面に対向かつ近接して設ける平板をさらに備えるようにしたものである。
【００１２】
【発明の実施の形態】
本発明を、添付の図面に示す実施の形態に基づいて詳細に説明する。
第一の実施形態は、ヘッド／ディスク試験装置であって、その斜視図を図３に示す。図３において、ヘッド／ディスク試験装置１００は、基準台１１０と、基準台１１０に固定されたヘッド位置決め装置１２０およびディスク位置決め装置１３０と、ディスク回転装置１４０とを備える。ヘッド位置決め装置１２０は、基準台１１０に固定されたガイド１２１と、ガイド１２１に沿って動くステージ１２２と、ステージ１２２に取り付けられるヘッドロード機構１２５とを備える。ヘッドロード機構１２５は、ヘッドを保持し、ディスク上へヘッドをロードしたり、ディスク上からヘッドをアンロードする。ディスク位置決め装置は、基準台１１０に固定されたガイド１３１と、ガイド１３１に沿って動くステージ１３２とを備える。ここで、ディスク回転装置１３０付近を拡大した斜視図を図４に示す。以下、図３と図４を参照する。ヘッド位置決め装置１２０は、先端にヘッド１５０を保持する。ディスク回転装置１４０は、ステージ１３２に固定され、ディスク１６０を着脱可能に保持し回転する。ヘッド１５０は、ヘッド位置決め装置１２０とディスク位置決め装置１３０とにより、ディスク１６０に対して相対的に位置決めされる。
【００１３】
ここで、図４におけるＡ−Ａ断面図を図５に示す。以下、両図を参照する。ディスク回転装置１４０は、基準台１１０に固定された固定子１４１と、回転子１４２と、ディスク１６０を回転子１４２に固定するクランプ１４３とを備える。回転子１４２は、上部にクランプ１４３を備える。固定子１４１は、上部にディスク飛散防止装置１７０を備えている。ディスク飛散防止装置１７０は、ディスク１６０の外周を囲む側板である。側板１７１とディスク１６０の外周端面との間隙は、ディスク１６０の厚さ以下である。なお、ディスク１６０の一般的な厚さは１ｍｍ程度である。また、側板１７１の最上部は、ディスク１６０の上面と同じ高さである。
【００１４】
さて、回転中のメディアが破損した時、破片の運動量は回転接線方向のベクトル量であり、ほぼ回転する面内に存在すると考えられる。ヘッド／ディスク試験装置１００は、上記のように構成されるので、ほとんどの破片の運動エネルギーを側板によって吸収し、破片の飛散を防止する事ができる。この飛散防止効果は、側板がディスク端面に近いほど向上する。
【００１５】
次に、破片の運動エネルギーの減衰を促進させるようにした第二の実施形態について説示する。第二の実施形態は、同様にヘッド／ディスク試験装置である。本実施形態のヘッド／ディスク試験装置２００では、図１に示すヘッド／ディスク試験装置において、ディスク飛散防止装置１７０に代わり、ディスク飛散防止装置２７０を用いる。なお、ヘッド／ディスク試験装置２００の他の構成要素は、特に説明のない限り、番号、形状および機能などはヘッド／ディスク試験装置１００と同一である。
【００１６】
ここで、ディスク回転装置１４０付近の斜視図を図６に示す。図６において、ディスク飛散防止装置２７０は、ディスク１６０の外周を囲む側板２７１と、平板２７２とを備える。平板２７２は、上部に側板２７１を備え、固定子１４１上に固定される。側板２７１とディスク１６０の外周端面との間隙は、ディスク１６０の厚さ以下である。また、平板２７２とディスク１６０との間隙は、ディスク１６０の厚さより小さい。ディスク１６０の一般的な厚さは１ｍｍ程度である。
【００１７】
ヘッド／ディスク試験装置２００は、上記のように構成されるので、破片の運動エネルギーを側板によって吸収し破片の飛散を防止する事ができる。また、平板２７２を備えているので、破片の相互衝突を促進し、破片の運動エネルギーの減衰が促進する。その結果、さらに飛散防止効果が得られる。なお、本実施形態において平板２７２はディスク１６０の下方に設置されているが、平板２７２によるディスク飛散防止効果の向上は、平板２７２がディスク１６０の上方に設置されている時でも同様に達成される。要するに、ディスク１６０と平板２７２とが並行に近接しさえすれば良い。
【００１８】
次に、側板の高さをディスクの上面より高くした第三の実施形態について説示する。第三の実施形態は、同様にヘッド／ディスク試験装置である。本実施形態のヘッド／ディスク試験装置３００では、図１に示すヘッド／ディスク試験装置において、ディスク飛散防止装置１７０に代わり、ディスク飛散防止装置３７０を用いる。なお、ヘッド／ディスク試験装置３００の他の構成要素は、特に説明のない限り、番号、形状および機能などはヘッド／ディスク試験装置１００と同一である。
【００１９】
ここで、ディスク回転装置１４０付近の斜視図を図７に示す。図７において、ディスク飛散防止装置３７０は、ディスク１６０の外周を囲む側板３７１と、平板３７２とを備える。平板３７２は、上部に側板３７１を備え、固定子１４１上に固定される。平板３７２は、ディスク１６０と対向する部分においてディスク１６０に平行な平滑面を有する。側板３７１の高さは、ディスク１６０の上面より高い。側板３７１とディスク１６０の外周端面との間隙、および、平板３７２とディスク１６０との間隙は、ディスク１６０の厚さより小さい。ディスク１６０の一般的な厚さは１ｍｍ程度である。
【００２０】
ヘッド／ディスク試験装置３００は、上記のように構成されるので、傾いた姿勢で飛散しようとする破片に対しても、破片の飛散を防止する効果を十分に発揮する事ができる。本実施形態のヘッド／ディスク試験装置３００において、ヘッド１５０の移動を妨げないようにするため、側板３７１とディスク１６０の上面との高低差ｈは、スライダ１５１の厚さ以下である事が望ましい。この許容される高低差ｈは、スライダー１５１を保持するジンバルの形状や、スライダーの浮上高などにより変化する。
【００２１】
ここで、図４におけるディスク回転装置の上面図を図８に示す。ヘッド試験は、ディスク１６０の各トラックにおいてヘッド１５０のスキュー角を変化させる。なお、スキュー角とは、トラックの接線とヘッドがなす角度である。例えば、ヘッド／ディスク試験装置１００においてスキュー角を±３０°の範囲で変化させると、ヘッド１５０は図８で示すように移動する。ヘッド１５０は、ディスク１６０の一部分の上でしか移動しない。従って、ヘッド１５０の移動に影響の無いディスク１６０上に有益な器具を備える事ができる。ヘッド１５０の移動に不可欠なディスク１６０面上の領域をヘッド活動領域と称し、ディスク１６０の同一面上のその他の領域をヘッド非活動領域と称する。
【００２２】
そこで、ディスク上面の一部を覆うことができる第四の実施形態について説示する。第四の実施形態は、同様にヘッド／ディスク試験装置である。本実施形態のヘッド／ディスク試験装置４００では、図１に示すヘッド／ディスク試験装置において、ディスク飛散防止装置１７０に代わり、ディスク飛散防止装置４７０を用いる。なお、ヘッド／ディスク試験装置４００の他の構成要素は、特に説明のない限り、番号、形状および機能などはヘッド／ディスク試験装置１００と同一である。
【００２３】
ここで、ディスク回転装置１４０付近の斜視図を図９に示す。図９において、ディスク飛散防止装置４７０は、ディスク１６０の外周を囲む側板４７１と、平板４７２と、第一の蓋板４７３を備える。平板４７２は、上部に側板４７１を備え、固定子１４１上に固定される。側板４７１の高さは、ディスク１６０の上面より高い。第一の蓋板４７３は、側板４７１に取り付けられ、側板４７１と接触する一部を軸として回転する。第一の蓋板４７３は、ヘッド１５０の移動を妨げないようにディスク１６０の面の一部を覆う事ができる。第一の蓋板４７３は、ディスク１６０と対向する部分においてディスク１６０に平行な平滑面を有する。側板４７１とディスク１６０の外周端面との間隙、平板４７２とディスク１６０との間隙、および、第一の蓋板４７３とディスク１６０との間隙は、ディスク１６０の厚さより小さい。ディスク１６０の一般的な厚さは１ｍｍ程度である。
【００２４】
ヘッド／ディスク試験装置４００は、上記のように構成されるので、破片の相互衝突を促進し、破片の運動エネルギーの減衰が促進する。その結果、第三の実施形態が示す装置に比べて飛散防止効果が高い。また、全面ではないがディスク１６０を両面から覆うので、ディスク１６０の破片が回転軸１４２方向に飛び出す確率も大幅に低減できる。
【００２５】
次に、ディスク全面を覆うことができる第五の実施形態について説示する。第五の実施形態は、同様にヘッド／ディスク試験装置である。本実施形態のヘッド／ディスク試験装置５００では、図１に示すヘッド／ディスク試験装置において、ディスク飛散防止装置１７０に代わり、ディスク飛散防止装置５７０を用いる。なお、ヘッド／ディスク試験装置５００の他の構成要素は、特に説明のない限り、番号、形状および機能などはヘッド／ディスク試験装置１００と同一である。ここで、ディスク回転装置１４０付近の斜視図を図１０に示す。
【００２６】
図１０において、ディスク飛散防止装置５７０は、ディスク１６０の外周を囲む側板５７１と、平板５７２と、第一の蓋板４７３と、第二の蓋板４７４とを備える。平板４７２は、上部に側板４７１を備え、固定子１４１上に固定される。側板４７１の高さは、ディスク１６０の上面より高い。第一の蓋板４７３は、側板４７１に取り付けられ、側板４７１と接触する一部を軸として回転する。第一の蓋板４７３は、ヘッド１５０の移動を妨げないようにディスク１６０の面の一部を覆う事ができる。第二の蓋板４７４は、第一の蓋板４７３を延長するように第一の蓋板４７３に隣接して取り付けられる。第二の蓋板４７４は、その取り付け部を軸にして回転する。第二の蓋板４７４は、ディスク１６０と対向する部分においてディスク１６０に平行な平滑面を有する。側板４７１とディスク１６０の外周端面との間隙、平板４７２とディスク１６０との間隙、第一の蓋板４７３とディスク１６０との間隙、および、第二の蓋板４７４とディスク１６０との間隙は、ディスク１６０の厚さより小さい。ディスク１６０の一般的な厚さは１ｍｍ程度である。
【００２７】
ヘッド／ディスク試験装置４００は、上記のように構成されるので、ヘッド１５０がディスク１６０から退避している時、ディスク１６０の全面を覆う事ができる。従って、その時は、ディスク１６０の破片が飛散する事を完全に防止できる。
【００２８】
本発明のディスク飛散防止装置は、ディスクの外周縁端に近接して側板を設けるので、ディスクをディスク回転装置と着脱する時に、作業者等がディスクを挟んで保持する事を困難にする。このような不具合を解消するために、ディスク飛散防止装置が具備する側板は、ディスクの包囲を解除可能なように構成されると良い。例えば、側板が一時的に上下移動するように構成されているか、ディスクが上下移動する支持棒によって支持されると良い。また、ディスク飛散防止装置が具備する平板は、単独で、もしくは、側板とともにディスクから隔離可能なように構成されると良い。例えば、平板が側板とともに一時的に上下移動するように構成されると良い。
【００２９】
【発明の効果】
以上詳細に説明したように、本発明は上記のように構成され、作用するものであるから、ヘッド／ディスク試験装置において、ディスクの外周端面を覆うように該端面に近接して側板を設ける事により、破損したディスクが飛散しようとする運動エネルギーの減衰を促進できるので、ディスクの飛散を防止すると同時に、ディスクへの接近しやすさを向上し、ディスク飛散防止手段の形状を小さくできる。
また、ヘッド／ディスク試験装置において、さらにディスク面に近接して平板を設ける事により、破損ディスクの運動エネルギーの減衰を効率化できるので、ディスクの飛散防止効果が向上する。
【図面の簡単な説明】
【図１】第一の従来例であるシュラウドを示す図である。
【図２】第二の従来例であるシールドを示す図である。
【図３】第一の実施形態であるヘッド／ディスク試験装置の斜視図である。
【図４】第一の実施形態におけるディスク回転装置を示す斜視図である。
【図５】第一の実施形態におけるディスク飛散防止装置の断面図である。
【図６】第二の実施形態におけるディスク飛散防止装置の断面図である。
【図７】第三の実施形態におけるディスク飛散防止装置の断面図である。
【図８】第一の実施形態におけるディスク回転装置の上面図である。
【図９】第四の実施形態におけるディスク飛散防止装置の断面図である。
【図１０】第五の実施形態におけるディスク飛散防止装置の断面図である。
【符号の説明】
１００，２００，３００，４００，５００　ヘッド／ディスク試験装置
１５０　ヘッド
１６０　ディスク
１７０，２７０，３７０，４７０，５７０　ディスク飛散防止装置
１７１，２７１，３７１，４７１，５７１　側板
２７２，３７２，４７２，５７２　平板
４７３，５７３，５７４　蓋板
【図１】
2004133964.tif 000003
【図２】
2004133964.tif 000004
【図３】
2004133964.tif 000005
【図４】
2004133964.tif 000006
【図５】
2004133964.tif 000007
【図６】
2004133964.tif 000008
【図７】
2004133964.tif 000009
【図８】
2004133964.tif 000010
【図９】
2004133964.tif 000011
【図１０】
2004133964.tif 000012